(57)【要約】【課題】光ファイバケーブルの抗張力線を固定するためのカシメリングをかしめたときに、外皮を均等に変形させるかしめができ、外皮を安定して固定することが可能な構造とする。【解決手段】光ファイバケーブル１０の光ファイバ１１が挿入されて接着固定されるフェルールを先端に保持するホルダと、ホルダを前方に付勢するスプリングの後端を支持するストップリングと、ストップリングが挿入状態で固定されるプラグフレームと、ストップリングの内部に保持された状態で光ファイバケーブルと同ケーブル内の抗張力線とを保持するカシメ部材９とを有する。カシメ部材９が、光ファイバケーブル１０の外皮固定用のカシメリング７と、光ファイバ固定用のカシメ座８とによって形成される。カシメ座８は共通の内径を有した肉厚の抗張力線保持筒部２１と肉薄の外皮保持筒部２２とが段差２４を介して前後位置に連設された形状となっている。【選択図】          図１１
2004309960.tif 000002
【特許請求の範囲】
【請求項１】
光ファイバケーブルの光ファイバが挿入されて固定されるフェルールを先端に保持するホルダと、ホルダを前方に付勢するスプリングの後端を支持するストップリングと、ストップリングが挿入状態で固定されるプラグフレームと、ストップリングの内部に保持された状態で光ファイバケーブルと同ケーブル内の抗張力線とを保持するカシメ部材とを有する光コネクタであって、前記カシメ部材が、光ファイバケーブルの外皮固定用のカシメリングと、光ファイバ固定用のカシメ座とによって形成されており、前記カシメ座が、共通の内径を有した肉厚の抗張力線保持筒部と肉薄の外皮保持筒部とが段差を介して前後位置に連設された形状に形成されていることを特徴とする光コネクタ。
【請求項２】
前記カシメリングが、内径の大きな抗張力線保持筒部と内径の小さな外皮保持筒部とを有しており、両保持筒部間にカシメ座の前記段差と係合可能な段差が形成されていることを特徴とする請求項１記載の光コネクタ。
【発明の詳細な説明】
【０００１】
【発明の属する技術分野】
本発明は、光ファイバケーブルに装着される光ファイバ接続用の光コネクタに関し、特に、光ファイバケーブル及び同ケーブル内に収納されている抗張力線を保持するカシメ部材を有した光コネクタに関する。
【０００２】
【従来の技術】
光ファイバケーブルは、光ファイバの外側に抗張力線が配置されると共に、抗張力線の外側が合成樹脂からなる外皮によって覆われた状態となっている。この光ファイバケーブルが装着される従来の光コネクタは、光ファイバケーブルの光ファイバを固定するためのフェルールを保持するホルダと、ホルダを前方に付勢するスプリングと、スプリングの後端を支持するストップリングと、ストップリングが挿入状態で固定されるプラグフレームと、ストップリング内に挿入されて光ファイバケーブル及び同ケーブル内の抗張力線をかしめて固定するカシメ部材とを有している。カシメ部材は、光ファイバケーブルの外皮を固定するための金属製のカシメリングと、カシメリング内に位置して光ファイバを固定するカシメ座とによって形成されている。
【０００３】
この従来の光コネクタにおいて、カシメ座は単一外径の円筒状に形成され、カシメリングには、光ファイバケーブルの外皮が直接に接触した状態で挿入されており、カシメリングを外側からかしめることにより外皮の固定が行われる（例えば、特許文献１参照）。
【０００４】
【特許文献１】
特開２００１−１４１９６０号公報
【０００５】
【発明が解決しようとする課題】
従来の光コネクタでは、カシメリングをかしめた場合、光ファイバケーブルの外皮がカシメリングとカシメ座との間でかしめられて変形することにより固定されるが、外皮を均等に変形させることが難しいため、固定力を一定に安定させることができない問題を有している。また、外皮が種々の形態に変形することにより応力疲労が部分的に発生し、これにより外皮が経時的に疲労して固定力が低下する問題も有している。
【０００６】
本発明は、このような従来の問題点を考慮してなされたものであり、外皮を均等に変形させるかしめができ、これにより、安定した固定力を発現させることができると共に、外皮の経時的な疲労を抑制することが可能な光コネクタを提供することを目的とする。
【０００７】
【課題を解決するための手段】
上記目的を達成するため、請求項１の発明の光コネクタは、光ファイバケーブルの光ファイバが挿入されて固定されるフェルールを先端に保持するホルダと、ホルダを前方に付勢するスプリングの後端を支持するストップリングと、ストップリングが挿入状態で固定されるプラグフレームと、ストップリングの内部に保持された状態で光ファイバケーブルと同ケーブル内の抗張力線とを保持するカシメ部材とを有する光コネクタであって、前記カシメ部材が、光ファイバケーブルの外皮固定用のカシメリングと、光ファイバ固定用のカシメ座とによって形成されており、前記カシメ座が、共通の内径を有した肉厚の抗張力線保持筒部と肉薄の外皮保持筒部とが段差を介して前後位置に連設された形状に形成されていることを特徴とする。
【０００８】
請求項１の発明では、光ファイバケーブルの外皮がカシメ座に形成した肉薄の外皮保持筒部に保持される。そして、この保持状態でカシメリングを外側からかしめると、段差を介して連設されている肉厚の抗張力線保持筒部に比べて肉薄となっている外皮保持筒部が円滑にかしめられる。このため、肉薄の外皮保持筒部を介して外皮に均等にかしめ力を作用させることができ、外皮が均等に変形することができる。これにより、外皮の固定力が安定するばかりでなく、部分的に応力疲労が発生することもなく、経時的な疲労を抑制することが可能となる。
【０００９】
請求項２の発明は、請求項１記載の光コネクタであって、前記カシメリングが、内径の大きな抗張力線保持筒部と内径の小さな外皮保持筒部とを有しており、両保持筒部間にカシメ座の前記段差と係合可能な段差が形成されていることを特徴とする。
【００１０】
請求項２の発明では、カシメリングをかしめることにより、同リングに形成した段差がカシメ座の段差と係合する。この係合により、カシメ座がカシメリングと強固に結合されるため、抜け防止がなされると共に、外皮を強固に固定することが可能となる。
【００１１】
【発明の実施の形態】
以下、本発明の実施の形態を図面に基いて詳細に説明する。
図１〜図１１は、本発明の一実施の形態における光コネクタを示し、図１は全体の断面図、図２は全体の側面図、図３は分解側面図である。図４〜図６はカシメリング７、図７〜図１０はカシメ座８をそれぞれ示し、図１１はカシメリング部分の断面図である。
【００１２】
この実施の形態の光コネクタ１は、図１〜図３に示すように、先端側（左端側）からフェルール２、ホルダ３、プラグフレーム４、スプリング５、ストップリング６が順に配置されることにより構成されており、光ファイバケーブル１０はこれらの内部に挿入されている。また、プラグフレーム４及びストップリング６の外側には、ツマミ１４が設けられている。
【００１３】
光ファイバケーブル１０は、図１１に示すように、内側の光ファイバ１１と、光ファイバ１１外側を覆う抗張力線１２と、抗張力線１２の外側を覆う合成樹脂からなる外皮１３とによって形成されている。
【００１４】
フェルール２は、光ファイバケーブル１０の光ファイバ１１の先端が挿入後、接着剤により接着されることにより光ファイバ１１を固定するものである。このフェルール２は、図１に示すように、光コネクタ１の先端から突出するようにホルダ３の先端に保持される。また、フェルール２は図３に示すフェルールキャップ１５に覆われることにより、その保護がなされている。
【００１５】
スプリング５はコイルばねからなり、ホルダ３及びストップリング６の間に挟まれるように配置されることにより、その後端がストップリング６に支持されている。このようにストップリング６に後端が支持されることにより、スプリング５はホルダ３を前方に付勢するように作用する。
【００１６】
プラグフレーム４には、ホルダ３、スプリング５及びストップリング６の前方部分が挿入されている。この場合、ストップリング６の前方部分における外面には、図１及び図３に示すように係合凸部６ａが形成されており、この係合凸部６ａがプラグフレーム４の係合孔部４ａに係合している。この係合により、プラグフレーム４に対してストップリング６が固定され、これらの抜け止めが行われている。
【００１７】
ストップリング６の後方部分は、図１及び図３に示すように、外側に膨出することによりリアプリアッセ１６となっており、このリアプリアッセ１６の後端部分にゴム等からなるブーツ１７が取り付けられている。
【００１８】
ストップリング６の内部には、共に金属からなるカシメリング７及びカシメ座８が配置されている。これらのカシメリング７及びカシメ座８は、光ファイバケーブル１０と同ケーブル１０の抗張力線１２とを保持するカシメ部材９を構成するものである。
【００１９】
カシメリング７は、図４〜図６に示すように、円筒の筒状に成形されており、その内部に光ファイバケーブル１０が貫通状に挿入されることにより、光ファイバケーブル１０の外皮１３を固定する。外皮１３の固定は、カシメリング７を外側からかしめることにより行われるものである。
【００２０】
この実施の形態において、カシメリング７の後部には、肉薄状の凹部７ａが形成されている。凹部７ａは、カシメリング７の円周上の４箇所に形成されており、カシメリング７を外側からかしめる際の圧力によって光ファイバケーブル１０に食い込み、この食い込みによって光ファイバケーブル１０の抜けを防止するように作用する。これにより、光ファイバケーブル１０とカシメリング７とが強固に結合可能となっている。なお、この機能をさらにアップするために、カシメリング７の内壁にローレットを形成することもできる。
【００２１】
カシメ座８は、図１及び図１１に示すようにカシメリング７の内部に挿入される。このカシメ座８には、光ファイバケーブル１０の光ファイバ１１が挿入されることにより光ファイバ１１を固定するものである。この固定は、カシメリング７をかしめる際のかしめ力によって行われる。
【００２２】
図７〜図１０に示すように、カシメ座８は先端側（ホルダ３側）の抗張力線保持筒部２１と、後端側（ブーツ１７側）の外皮保持筒部２２とが同軸的に連設されることにより形成されている。これらの保持筒部２１、２２は、共通の内径となった光ファイバ挿通孔２３が軸方向に連通している。また、抗張力線保持筒部２１が肉厚となっているのに対し、外皮保持筒部２２が肉薄となっており、これにより、これらの境界部分の外面には段差２４が形成されている。すなわち、カシメ座８は、肉厚の抗張力線保持筒部２１と肉薄の外皮保持筒部２２とが段差２４を介して前後位置に連設された構造となっている。
【００２３】
図１１は、光ファイバケーブル１０を光コネクタ１に接続する場合のカシメ部材９と光ファイバケーブル１０との関係を示している。接続に先立って、光ファイバケーブル１０は先端側が皮剥ぎされており、抗張力線１２及び光ファイバ１１が外皮１３から露出した状態となっている。
【００２４】
この光ファイバケーブル１０に対し、カシメ座８の外皮保持筒部２２を先端側から挿入する。この挿入は、外皮保持筒部２２が光ファイバケーブル１０の光ファイバ１１と抗張力線１２との間に入り込むように行う。この挿入により、光ファイバケーブル１０の外皮１３が外皮保持筒部２２とカシメリング７との間に挟まれる。一方、光ファイバケーブル１０の抗張力線１２は、カシメ座８の抗張力線保持筒部２１とカシメリング７との間に挟まれた状態となる。
【００２５】
この状態でカシメリング７を外側から所定の圧力によってかしめると、段差２４を介して連設されている抗張力線保持筒部２１及び外皮保持筒部２２の内、肉厚の抗張力線保持筒部２１よりも肉薄の外皮保持筒部２２が円滑に且つ優先的にかしめられる。このため、外皮保持筒部２２とカシメリング７との間に挟まれている外皮１３の全体を均等にかしめることができ、外皮１３の全体が均等に変形する。これにより、外皮１３の固定力を安定させることができる。また、外皮１３の全体が均等に変形することから、部分的な応力疲労が発生することがなく、外皮１３が経時的に疲労することを防止することができ、長期間安定して光ファイバケーブル１０を固定することが可能となる。
【００２６】
図１２は、本発明の別の実施の形態におけるカシメ部材２５と光ファイバケーブル１０との接続構造を示す。この形態においては、カシメ座８が上述した実施の形態と同様に、肉厚の抗張力線保持筒部２１と肉薄の外皮保持筒部２２とが段差２４を介して前後に連設された構造となっている。
【００２７】
この形態においても、カシメ座８の外側にカシメリング７が配置されるが、このカシメリング７は内径の大きな抗張力線保持筒部２７と内径の小さな外皮保持筒部２８とが連設された構造となっており、その外径はカシメリング７の全長で同等となっている。内径の大きな抗張力線保持筒部２７は、カシメ座８における抗張力線保持筒部２１と対向しており、内径の小さな外皮保持筒部２８はカシメ座８における外皮保持筒部２２と対向している。
【００２８】
また、カシメリング７における抗張力線保持筒部２７と外皮保持筒部２８との境界部分の内面には段差２９が形成されている。この段差２９はカシメ座８における段差２４に臨む位置に形成されるものである。
【００２９】
この実施の形態において、カシメリング７をかしめることにより、上述した実施の形態と同様に、カシメ座８における肉薄の外皮保持筒部２２の全体が均等にかしめられるため、外皮１３の固定力を安定させることができる。これに加えて、カシメリング７のかしめによって、肉薄の抗張力線保持筒２７と肉厚の外皮保持筒部２８との境界部分の段差２９がカシメ座８の段差２４と係合する。この係合により、カシメ座８とカシメリング７とを強固に結合させることができ、これらの抜け止めを確実に行うことが可能となる。さらに、光ファイバケーブル１０の外皮１３が肉厚の外皮保持筒部２８によって押え付けられるため、外皮１３を強固に固定することができる。
【００３０】
本発明は、以上の実施の形態に限定されることなく種々変形が可能であり、例えば、カシメリング７の外面に凹部７ａを形成することなく、単一外径のカシメリングとしても良い。
【００３１】
【発明の効果】
以上説明したように、本発明によれば、カシメ座に形成した肉薄の外皮保持筒部に光ファイバケーブルの外皮が保持された状態でかしめられるため、外皮に対し肉薄の外皮保持筒部を介して均等にかしめ力を作用させることができ、外皮が均等に変形する。このため、外皮の固定力が安定し、しかも部分的に応力疲労が発生することがなく、経時的な疲労を抑制することが可能となる。
【図面の簡単な説明】
【図１】本発明の一実施の形態における光コネクタ全体の部分断面図である。
【図２】光コネクタの全体側面図である。
【図３】光コネクタの分解側面図である。
【図４】カシメリングの部分断面図である。
【図５】図４の右側面図である。
【図６】図４の左側面図である。
【図７】カシメ座の側面図である。
【図８】図７の右側面図である。
【図９】図７の左側面図である。
【図１０】カシメ座の断面図である。
【図１１】カシメ部材と光ファイバケーブルとの接続構造を示す断面図である。
【図１２】別の実施形態におけるカシメ部材と光ファイバケーブルとの接続構造を示す断面図である。
【符号の説明】
１    光コネクタ
２    フェルール
３    ホルダ
４    プラグフレーム
５    スプリング
６    ストップリング
７    カシメリング
８    カシメ座
９    カシメ部材
１０  光ファイバケーブル
１１  光ファイバ
１２  抗張力線
１３  外皮
２１  抗張力線保持筒部
２２  外皮保持筒部
２４  段差
２５  カシメ部材
２７  抗張力線保持筒部
２８  外皮保持筒部
２９  段差
【図１】
2004309960.tif 000003
【図２】
2004309960.tif 000004
【図３】
2004309960.tif 000005
【図４】
2004309960.tif 000006
【図５】
2004309960.tif 000007
【図６】
2004309960.tif 000008
【図７】
2004309960.tif 000009
【図８】
2004309960.tif 000010
【図９】
2004309960.tif 000011
【図１０】
2004309960.tif 000012
【図１１】
2004309960.tif 000013
【図１２】
2004309960.tif 000014